(57)【要約】【課題】センサ用モニタの数を増やさずに、複数のセンサに対応した監視を行う監視システムを提供することにある。センサ用モニタの役割は、検知した映像をいち早く確認するためであるので、センサ用モニタが無くとも、いち早く確認できる監視システムを実現する。【解決手段】複数のカメラからの映像を複数のモニタに表示して監視する監視システムにおいて、複数のモニタをマトリックス状に配置し、また、複数のカメラと関連付けた複数のセンサを備え、センサが動作した場合に、動作したセンサと関連付けられているカメラ映像を表示しているモニタを監視者に分かり易くするために、当該モニタの位置する縦横のラインを強調表示させる。【選択図】図３
2012070308.tif 000002
【特許請求の範囲】
【請求項１】
複数の視野角内をそれぞれ撮像する複数のカメラと、前記複数のカメラの前記複数の視野角内にそれぞれ設置され当該設置されたカメラと関連付けられ、センサ検知した場合に検知信号をネットワーク網を介して出力するセンサと、前記複数のカメラがそれぞれ撮像する映像をネットワーク網を介してそれぞれ表示する複数のモニタと、前記複数のモニタを制御する制御装置と、前記ネットワーク網を介して前記検知信号を受信し、受信した前記検知信号を出力したセンサに関連付けされたカメラの映像が表示されるモニタを注目させるため点灯させる主ランプおよび補助ランプを有することを特徴とする監視システム。
【発明の詳細な説明】
【技術分野】
【０００１】
本発明は、複数のカメラが撮像した映像を、それぞれ複数のモニタに表示する監視システムに関する。
【背景技術】
【０００２】
カメラ台数の多いシステムでは、監視員は、複数のモニタ画面を並べ、同時に複数の映像を監視している。このとき、監視対象のモニタが多く、監視員の目だけで追いつかず、対象物の監視漏れが起き易い。
このような監視漏れを低減させるため、監視場所にセンサを設置し、監視対象の異常をセンサで自動で検知し、別途センサ用モニタ等に映し出す。複数のセンサからセンサ用モニタに入力があった場合には、センサ用モニタの数が監視対象の異常を表示できる最大数となる。センサ用モニタの数を増やすと、複数のセンサ入力に対応して映像を表示できる。しかし、センサ入力の無い場合、無駄なモニタが増えることになる。
特許文献１には、半導体特性測定のために複数の入力端子と複数の出力端子の出力ポイント（ＬＥＤ（Light Emitting Diode）表示）を任意に変更可能なスイッチングマトリックス装置において、ライトペンで選択された接続ポイント（発光部）の位置を容易に認識できるようにするために、当該発光部を含む列と行にあるいくつかのＬＥＤを発光させる技術が開示されているが、センサとの関連性はない。
【先行技術文献】
【特許文献】
【０００３】
【特許文献１】特開２００６−１５３７９３号公報
【発明の概要】
【発明が解決しようとする課題】
【０００４】
上述のように、センサ信号が発生したカメラ映像を表示しているモニタに、ＬＥＤ等のライトにより表示を行っている。しかし、モニタ数が非常に多い場合には、どのモニタに関連付けられたセンサ信号であるかを即座に判断するのに時間がかかる。
本発明の目的は、センサ用モニタの数を増やさずに、複数のセンサに対応した監視を行う監視システムを提供することにある。センサ用モニタの役割は、検知した映像をいち早く確認するためであるので、センサ用モニタが無くとも、いち早く確認できる監視システムを実現する。
【課題を解決するための手段】
【０００５】
上記の目的を達成するために、本発明の監視システムは、複数の視野角内をそれぞれ撮像する複数のカメラと、前記複数のカメラの前記複数の視野角内にそれぞれ設置され当該設置されたカメラと関連付けられ、センサ検知した場合に検知信号をネットワーク網を介して出力するセンサと、前記複数のカメラがそれぞれ撮像する映像をネットワーク網を介してそれぞれ表示する複数のモニタと、前記複数のモニタを制御する制御装置と、前記ネットワーク網を介して前記検知信号を受信し、受信した前記検知信号を出力したセンサに関連付けされたカメラの映像が表示されるモニタを注目させるため点灯させる主ランプおよび補助ランプを有するものである。
好ましくは、前記補助ランプは、視覚的に容易に判断できるよう、前記長目させるモニタの縦列と横列に補助的に表示する。
また好ましくは、前記主ランプと前記補助ランプの輝度や、表示間隔、表示色を変更することで、前ン器主ランプをより明確にする。
【発明の効果】
【０００６】
本発明によれば、監視員がどのモニタを見ていても、発生したセンサ信号に関連付けされたモニタが発生した監視員が分かり易く、監視漏れを無くすことができる。
【図面の簡単な説明】
【０００７】
【図１】本発明の監視カメラシステムのシステム構成を示す図である。
【図２】本発明の監視システムにおける大画面表示装置の一実施例を説明するための図である。
【図３】本発明の監視システムにおける大画面表示装置の一の実施例を説明するための図である。
【発明を実施するための形態】
【０００８】
本発明は、複数のカメラからの映像を複数のモニタに表示して監視する監視システムにおいて、複数のモニタをマトリックス状に配置し、また、複数のカメラと関連付けた複数のセンサを備え、センサが動作した場合に、動作したセンサと関連付けられているカメラ映像を表示しているモニタを監視者に分かり易くするために、当該モニタの位置する縦横のラインを強調表示させるものである。
【０００９】
本発明の監視カメラシステムの一実施例の略構成を図１によって説明する。図１は、本発明のＣＣＴＶ（Closed Circuit Tele Vision）システム等の監視カメラシステムのシステム構成を示す図である。１０５は監視端末、１０６は管理サーバ、１０７は大画面表示装置、１７１〜１７８は大画面表示装置１０７の表示部を構成するモニタ、１７９はモニタ１７１〜１７８を載せる台、１０４は制御装置、１０２はネットワーク網、１０１−１、１０１−２、・・・、１０１−ｎはそれぞれ監視カメラ（ｎは自然数）、１２１−１、１２１−２、・・・、１２１−ｍは監視カメラ１０１−１、１０１−２、・・・、１０１−ｎそれぞれに関連付けされるセンサ（ｍは自然数）、１０３は監視局である。監視局１０３は、監視端末１０５、管理サーバ１０６、大画面表示装置１０７、および、制御装置１０４で構成されている。なお、どの監視カメラ１０１−１、１０１−２、・・・、１０１−ｎと限らず、一般的に監視カメラを指す場合には、監視カメラ１０１と称する。同様に、どのセンサ１２１−１、１２１−２、・・・、１２１−ｍと限らず、一般的に監視カメラを指す場合には、センサ１２１と称する。また同様に、どのモニタ１７１、１７２、・・・、１７８と限らず、一般的にモニタを指す場合には、モニタ１７０と称する。
【００１０】
大画面表示装置１０７の表示部を構成するモニタ１７０は、それぞれ、例えば、５５型のＰＤＰ（Plasma Display Panel）、ＦＥＤ（Field Emission Display）、ＥＬディスプレイ（Electro Luminescence Display）、液晶プロジェクタ、等のＦＰＤ（Flat Panel Display）である。モニタ１７０の周辺には、そのモニタの映像に表示されている映像を取得した監視カメラ１０１に関連付けられたセンサ１２１がセンサ検知したことを示すために点灯されるＬＥＤ等の点灯表示部を備える（図示しない）。
また、監視端末１０５の表示部の画面サイズは、通常、モニタ１７０の画面サイズと同じか、それより小さい。
また、ネットワーク網１０２は、例えば、専用回線であり、例えば、ＬＡＮ（Local Area Network）である。
【００１１】
図１において、監視カメラ１０１−１〜１０１−ｎは、それぞれ、指定された視野角で映像を取得して、映像データとして、ネットワーク網１０２を介して、監視端末１０５、管理サーバ１０６、および、制御装置１０４に送信する。
センサ１２１がセンサ検知した場合には、検知信号が、ネットワーク網１０２を介して、監視端末１０５、管理サーバ１０６、および、制御装置１０４に送信される。センサ１２１−１〜１２１ｍは、予め監視カメラ１０１−１〜１０１−ｎのいずれかに関連付けられている。例えば、センサ１２１−１がセンサ検知した場合には、監視カメラ１０１−１の視野角内で異常を検知したと判定され、制御装置１０４は、当該監視装置１０１−１が撮像した映像を表示しているモニタを示すＬＥＤを点灯する。
【００１２】
監視局１０３の監視員は、ＧＵＩ（Graphical User Interface）操作等で監視端末１０５を操作することによって、所望の監視カメラ１０１を選択し、選択した監視カメラ１０１の映像を表示部に表示する。監視端末１０５の操作は、その表示部にＷｅｂブラウザ形式で表示した表示画面で、監視員がＧＵＩ操作等で実行する。
このとき、監視端末１０５からの操作内容は、ネットワーク網１０２を介して、管理サーバ１０６に送信され、管理サーバ１０６が、操作内容の登録または更新と共に、監視カメラ１０１に制御信号を、ネットワーク網１０２を介して送信して操作する。
【００１３】
なお、図１は、監視局１０３内の機器（監視端末１０５、管理サーバ１０６、および、制御装置１０４）の結合と監視カメラ１０１との結合を、同じネットワーク網１０２で実施している。しかし、監視局１０３と監視カメラ１０１とを結合するネットワーク網１０２とは別に、監視局１０３内の監視端末１０５、管理サーバ１０６、大画面表示装置１０７、および、制御装置１０４間の結合を、無線若しくは有線ＬＡＮ（Local Area Network）等の構内ネットワーク、または、伝送ケーブル等の伝送路で、別に結合してもよい。
また、センサは、例えば、侵入者を検知する赤外線センサである。また例えば、センサは、侵入者を検知するフェンスセンサ、音検知センサ、超音波センサ、温度センサ、磁気センサ等である。
【００１４】
図１において、監視員は、監視端末１０５で、監視カメラ１０１の選択を切替えるか、または、同じ監視カメラ１０１であっても、プリセットポジションを切替える若しくはＧＵＩ操作等で視野角を変更して、表示部に所望の映像を表示する。
【００１５】
本発明の一実施例として、縦横にモニタが複数個並び補助表示部分を含むシステムについて説明する。
図２は、図１の監視システムにおける大画面表示装置１０７についての他の実施例を説明するための図である。
図２では、複数台のカメラ１０１の取得した映像を、それぞれ複数台のモニタ２１−１−１〜２１−ｋ−ｊ（ｊおよびｋは、それぞれ２以上の自然数）に表示し、複数台の外部センサ１２１と連動し、センサ１２１付近の該当モニタ（例えば、モニタ２１−２−２）をランプ等でモニタ監視者に知らせるシステムついて説明する。
図２に示すように、複数のカメラの映像を横にｋ台、縦にｊ台並べたモニタ２１−１−１〜２１−ｋ−ｊで、侵人者の有無、車の出入り、機器の故障、等の監視を行っている。
モニタ２１−１−１〜２１−ｋ−ｊ近くには、それぞれ、ＬＥＤ等の光源（以降、主ランプと称する）を設ける。
【００１６】
あるセンサが反応（センサ検知）し、反応したセンサは、検知信号をネットワーク網１０４を介して、制御部１０４、監視端末１０５および管理サーバ１０６に送信する。管理サーバ１０６は、受信した検知信号から、そのセンサに関連付けられたカメラを特定し、さらに特定したカメラの映像が表示されているモニタを特定する。次に、管理サーバ１０６は、ネットワーク網１０２を介して、制御部１０４に主ランプ点灯または点滅の制御信号を送信する。制御部１０４は、受信した制御信号に応じて、当該モニタの上側の主ランプを点灯または点滅させるように、大画面表示装置１０７を制御する。
この結果、センサ検知に対応したモニタを監視者に気付かせるため、当該センサと関連付けされたカメラが取得した映像を表示するモニタ２１−２−２の上部に設けた主ランプ２５−２−２が点灯または点滅し、監視員に注目させる。
なお、図２の実施例では、モニタの上側すべてに光源（主ランプ）が設けられているが、点灯している主ランプのみが目立つように表示される。
【００１７】
図２の実施例では、センサの発報に連動したモニタが、左からｃ番目（１≦ｃ≦ｋ）、上からｌ（エル）番目（１≦ｌ≦ｊ）のモニタにあった場合、下図のようにモニタにフレーム、または、モニタ自身付近にて知らせる。この場合、モニタ数が多い場合、このモニタに視線が行くまで数秒かかることが考えられる。
この主ランプが、監視員が注目すべきモニタの周囲（上側だけではなく、左側、下側、および右側）すべて点灯したとしても、モニタ数が多い場合には、やはりこのモニタに視線が行くまで時間がかかるであろう。
そこで、その点をさらに改良した本発明の別の実施例を図３によって説明する。
【００１８】
図３は、本発明の監視システムにおける大画面表示装置１０７についての他の実施例を説明するための図である。
図３では、複数台のカメラ１０１の取得した映像を、それぞれ複数台のモニタ２１−１−１〜２１−ｋ−ｊ（ｊおよびｋは、それぞれ２以上の自然数）に表示し、複数台の外部センサ１２１と連動し、センサ１２１付近の該当モニタ（例えば、モニタ２１−２−２）をランプ等の光源でモニタ監視者に知らせるシステムついて説明する。
図３に示すように、複数のカメラの映像を横にｋ台、縦にｊ台並べたモニタ２１−１−１〜２１−ｋ−ｊで、侵人者の有無、車の出入り、機器の故障、等の監視を行っている。
モニタ２１−１−１〜２１−ｋ−ｊ近くには、それぞれ、ＬＥＤ等の光源（以降、主ランプと称する）を設ける。
【００１９】
あるセンサが反応（センサ検知）し、反応したセンサは、検知信号をネットワーク網１０４を介して、制御部１０４、監視端末１０５および管理サーバ１０６に送信する。管理サーバ１０６は、受信した検知信号から、そのセンサに関連付けられたカメラを特定し、さらに特定したカメラの映像が表示されているモニタを特定する。次に、管理サーバ１０６は、ネットワーク網１０２を介して、制御部１０４に主ランプ点灯または点滅の制御信号を送信する。制御部１０４は、受信した制御信号に応じて、当該モニタの上側の主ランプを点灯または点滅させるように、大画面表示装置１０７を制御する。
この結果、センサ検知に対応したモニタを監視者に気付かせるため、当該センサと関連付けされたカメラが取得した映像を表示するモニタ２１−２−２の上、下、左、および右側の全ての縦列と横列にＬＥＤ、ランプ等による補助的な光源（補助ランプ）３５−０−２、３５−０−３、３５−２−０、および３５−３−０が点灯し、監視者が、他のモニタやどのモニタを見ていても瞬時にセンサの位置とこれに対応したモニタを監視者に気付かせる監視員に注目させることができる。
なお、図３の実施例では、モニタの上側すべてに光源（主ランプ）が設けられているが、点灯している主ランプのみが目立つように表示される。
この結果、監視者が別のモニタを見ていても、より近い位置で補助ランプが目に付き、センサからの入力に気付くことができる。補助ランプが交差するモニタがあるため、瞬時に視線を対象モニタヘ移動させることができる。
【００２０】
また、センサが動作しているモニタを監視者に明確に知らせるため、補助ランプより主ランプの輝度を上げたり、主ランプの色を補助ランプより目立つ色にしたり、主ランプを点滅させたりする。監視者は、正確にすばやくセンサが動作したモニタを見つけることができる。
【符号の説明】
【００２１】
２１−１−１、２１−１−２、２１−１−ｊ、２１−２−１、２１−２−２、２１−２−ｊ、・・・、２１−（ｋ−２）−１、２１−（ｋ−２）−２、２１−（ｋ−２）−ｊ、２１−（ｋ−ｊ）−１、２１−（ｋ−１）−２、２１−（ｋ−１）−ｊ、２１−ｋ−１、２１−ｋ−２、２１−ｋ−ｊ：モニタ、  ２５−２−２：主ランプ、  ３５−０−２、３５−０−３、３５−２−０、３５−３−０：補助ランプ、  １０１、１０１−１、１０１−２、・・・、１０１−ｎ：監視カメラ、  １０２：ネットワーク網、  １０３：監視局、  １０４：制御装置、  １０５：監視端末、  １０６：管理サーバ、  １０７：大画面表示装置、  １２１、１２１−１、１２１−２、・・・、１２１−ｍ：センサ、  １７０〜１７８：モニタ、  １７９：モニタを載せる台。
【図１】
2012070308.tif 000003
【図２】
2012070308.tif 000004
【図３】
2012070308.tif 000005